(57)【要約】【課題】  傘を開いたときにシート材の一部がより広くなる傘において、傘を開いても使用者の視線が長尺な傘骨やシート材により遮られることがない傘を提供する。【解決手段】  軸部材２と、軸部材２の他端に開閉自在に連結された複数の傘骨４と、傘骨４に張設されるシート材５と、一端が傘骨４の所定箇所に連結されるとともに他端が軸部材２に沿って移動自在に設けられた複数の支持骨と、を備え、複数の傘骨４のうちの一部の傘骨４ａが他の傘骨４ｂよりも長尺に形成されるとともに、支持骨の他端を軸部材２に沿って移動させることで傘骨４を開閉させる傘１において、支持骨は、傘骨を開状態としたときには、全ての傘骨４の先端部８が軸部材２に対して直交する方向を向く同一平面上に位置するように支持し、傘骨４を閉状態としたときには、全ての傘骨４の先端部８が軸部材２に対してほぼ均等に近接するように、傘骨４をその長さに応じて異なる形態で支持する。【選択図】  図１
2006014817.tif 000002
【特許請求の範囲】
【請求項１】
一端にハンドル部を有する軸部材と、該軸部材の他端に放射状に開閉自在に連結された複数の傘骨と、該傘骨に張設されるシート材と、一端が前記傘骨の所定箇所に連結されるとともに他端が前記軸部材に沿って移動自在に設けられた複数の支持骨と、を備え、前記複数の傘骨のうちの一部の傘骨が他の傘骨よりも長尺に形成されるとともに、前記支持骨の他端を前記軸部材に沿って移動させることで前記傘骨を開閉させる傘において、
前記支持骨は、前記傘骨を開状態としたときには、全ての傘骨の先端部が前記軸部材に対して直交する方向を向く同一平面上に位置するように支持し、前記傘骨を閉状態としたときには、全ての傘骨の先端部が前記軸部材に対してほぼ均等に近接するように、前記傘骨を該傘骨の長さに応じて異なる形態で支持することを特徴とする傘。
【請求項２】
前記支持骨の他端は、前記軸部材に沿って移動自在に設けられた移動部材に連結されており、
前記軸部材と前記傘骨とが連結する第１連結部及び前記傘骨と前記支持骨とが連結する第２連結部を結ぶ辺の長さと、前記第２連結部及び前記移動部材と前記支持骨とが連結する第３連結部を結ぶ辺の長さとの和が全ての傘骨において均一であるとともに、
全ての支持骨それぞれの前記第３連結部は、前記移動部材の長さ方向に対して同位置に設けられていることを特徴とする請求項１に記載の傘。
【請求項３】
前記傘骨を閉状態としたときに、前記移動部材の少なくとも一部が前記シート材により隠蔽されることなく外部に露呈するようになっていることを特徴とする請求項１または２に記載の傘。
【請求項４】
前記複数の傘骨のうち長尺な傘骨は、前記閉状態としたときに当該長尺な傘骨の先端部が前記ハンドル部の端部から突出しない長さに形成されていることを特徴とする請求項１ないし３のいずれかに記載の傘。
【請求項５】
前記ハンドル部の一部は曲部を有し、
前記傘骨を閉状態としたときに、前記複数の傘骨のうち長尺な傘骨の先端部は前記曲部の反対側に配置されることを特徴とする請求項１ないし４のいずれかに記載の傘。
【発明の詳細な説明】
【技術分野】
【０００１】
本発明は、雨水または日照を遮る開閉自在な傘であり、複数の傘骨のうちの一部の傘骨が他の傘骨よりも長尺としてシート材の一方を広く形成することによって、雨傘にあっては濡れ難く、日傘にあっては日陰部をより広く作り出すことができるようにした傘に関する。
【背景技術】
【０００２】
一般に、傘を構成する複数本の傘骨のうち、一部の傘骨を他より長尺に形成し、この長尺の傘骨においてシート材を広い面積とすることにより、雨傘にあっては濡れ難く、日傘にあっては日陰部をより広く作り出すことができるように形成した傘があった（例えば、特許文献１、２参照）。
【０００３】
【特許文献１】登録実用新案第３０９３５０４号公報（第２頁、第１図）
【特許文献２】登録実用新案第３０５４３６５号公報（第２頁、第１図）
【発明の開示】
【発明が解決しようとする課題】
【０００４】
しかしながら、特許文献１、２に記載された傘のように、複数本の傘骨のうち、一部の傘骨を他より長尺に形成すると、傘骨を開いた状態において、長尺な傘骨の先端部が他の傘骨の先端部よりも下方に位置することで、傘の使用者の視線が長尺な傘骨や傘布により遮られるため視界が悪くなるといった問題があった。
【０００５】
本発明は、このような問題点に着目してなされたもので、傘を開いたときにシート材の一部がより広くなる傘において、傘を開いても使用者の視線が長尺な傘骨やシート材により遮られることがない傘を提供することを目的とする。
【課題を解決するための手段】
【０００６】
上記課題を解決するために、本発明の請求項１に記載の傘は、
一端にハンドル部を有する軸部材と、該軸部材の他端に放射状に開閉自在に連結された複数の傘骨と、該傘骨に張設されるシート材と、一端が前記傘骨の所定箇所に連結されるとともに他端が前記軸部材に沿って移動自在に設けられた複数の支持骨と、を備え、前記複数の傘骨のうちの一部の傘骨が他の傘骨よりも長尺に形成されるとともに、前記支持骨の他端を前記軸部材に沿って移動させることで前記傘骨を開閉させる傘において、
前記支持骨は、前記傘骨を開状態としたときには、全ての傘骨の先端部が前記軸部材に対して直交する方向を向く同一平面上に位置するように支持し、前記傘骨を閉状態としたときには、全ての傘骨の先端部が前記軸部材に対してほぼ均等に近接するように、前記傘骨を該傘骨の長さに応じて異なる形態で支持することを特徴としている。
この特徴によれば、支持骨は傘骨の長さに応じて異なる形態で支持するため、傘骨を開状態としたときに一部の長尺な傘骨及びシート材により傘の使用者の視線がシート材により遮蔽されるのを防止できるとともに、支持骨を軸部材に沿って移動させることで全ての傘骨を軸部材に対してほぼ均等に近接させた状態で閉じることができるため、傘骨を閉じたときに長尺の傘骨が軸部材に他の傘骨のように近接せずにシート材が使用者に触れて濡れやすくなることを防止できる。
なお、支持骨により傘骨を該傘骨の長さに応じて異なる形態で支持するとは、例えば支持骨の長さや、支持骨の傘骨に対する連結位置、支持骨の軸部材に対する連結位置等を、傘骨の長さに応じて異ならせて支持することである。
【０００７】
本発明の請求項２に記載の傘は、請求項１に記載の傘であって、
前記支持骨の他端は、前記軸部材に沿って移動自在に設けられた移動部材に連結されており、
前記軸部材と前記傘骨とが連結する第１連結部及び前記傘骨と前記支持骨とが連結する第２連結部を結ぶ辺の長さと、前記第２連結部及び前記移動部材と前記支持骨とが連結する第３連結部を結ぶ辺の長さとの和が全ての傘骨において均一であるとともに、
全ての支持骨それぞれの前記第３連結部は、前記移動部材の長さ方向に対して同位置に設けられていることを特徴としている。
この特徴によれば、移動部材の移動により全ての支持骨の他端を同時に移動させることができるばかりか、全ての支持骨の移動部材に対する連結位置が揃うため、移動部材の操作時における支持骨との干渉を回避できるばかりか、見栄えが向上する。また、支持骨の長さや傘骨との連結位置が傘骨の長さに応じて異なっていても、傘骨を閉状態としたときに全ての支持骨が軸部材に対して限りなく平行に近い状態とすることができ、これにより全ての傘骨の先端部を軸部材に対して近接するように閉じることができる。
【０００８】
本発明の請求項３に記載の傘は、請求項１または２に記載の傘であって、
前記傘骨を閉状態としたときに、前記移動部材の少なくとも一部が前記シート材により隠蔽されることなく外部に露呈するようになっていることを特徴としている。
この特徴によれば、傘骨が閉状態であるときに、閉じられたシート材の内部に手を挿入することなく移動部材を持つことができるため、手を濡らしたりすることなく傘骨の開操作を行うことができる。
【０００９】
本発明の請求項４に記載の傘は、請求項１ないし３のいずれかに記載の傘であって、
前記複数の傘骨のうち長尺な傘骨は、前記閉状態としたときに当該長尺な傘骨の先端部が前記ハンドル部の端部から突出しない長さに形成されていることを特徴としている。
この特徴によれば、傘骨が閉状態であるときにハンドル部を握る際に、傘骨やシート材に触れて手が濡れたり、邪魔になることがないとともに、傘の収納時において傘骨の先端部が損傷することが防止される。
【００１０】
本発明の請求項５に記載の傘は、請求項１ないし４のいずれかに記載の傘であって、
前記ハンドル部の一部は曲部を有し、
前記傘骨を閉状態としたときに、前記複数の傘骨のうち長尺な傘骨の先端部は前記曲部の反対側に配置されることを特徴としている。
この特徴によれば、傘骨が閉状態であるときにハンドル部を握る際に、傘骨やシート材に触れて手が濡れたり、邪魔になることがない。
【発明を実施するための最良の形態】
【００１１】
本発明の実施例を以下に説明する。
【実施例】
【００１２】
本発明の実施例としての傘１を図面に基づいて説明すると、先ず図１（ａ）は本発明の実施例としての傘１の開状態を示す平面図、（ｂ）は傘の正面図、（ｃ）は傘の側面図であり、図２（ａ）〜（ｃ）は傘１の傘骨を閉状態から開状態に移行する状況を示す概略図であり、図３は傘１の開状態における傘骨と支持骨と軸部材との状態を示す概略図であり、図４は傘１の閉状態における傘骨と支持骨と軸部材との状態を示す概略図である。
【００１３】
本実施例の傘１は、図１及び図２に示されるように、下端にハンドル部３を有する軸部材２と、該軸部材２の上端に放射状に開閉自在に連結された複数本の傘骨４と、該傘骨４に張設されるビニール製のシート材５と、一端が傘骨４の所定箇所に連結されるとともに、他端が軸部材２の長手方向に沿って移動自在に設けられた円筒状の移動部材６に複数本の支持骨７と、を備えている。
【００１４】
具体的には、特に図１（ａ）に示されるように、複数の傘骨４は、軸部材２を中心として図中右側に向けて延びる右半円部側の複数本の傘骨４ｂの長さがほぼ同寸に形成されているとともに、図中左側に向けて延びる左半円部側の複数本の傘骨４ａの長さは、短尺の傘骨４ｂよりも長尺な長さを有している。すなわち、複数のうち一部の傘骨４ａは他の傘骨４ｂよりも長尺に形成されることで、シート材５における図中左側の半円部は右側の半円部よりも広く形成されており、傘骨４を開状態としたときに、軸部材２がシート材５の中心に対して偏心する偏心位置に配置される非対称形の傘１とされている。なお、長尺の傘骨４ａは、軸部材２の長さよりも短尺に形成されている。
【００１５】
各支持骨７は、一端が傘骨４の所定箇所を下方から支持するように連結（軸着）されているとともに、他端が移動部材６の上端に連結（軸着）されている。
【００１６】
各支持骨７は、詳しくは、図３に示されるように、移動部材６との連結部Ｃ、Ｃ’は、移動部材６の長手方向に対して同位置に軸着されている。また、後述するように各支持骨７の長さや傘骨４を支持する支持位置｛連結部Ｂ、Ｂ’の位置（図３参照）｝は、支持する傘骨４の長さに応じてそれぞれ異なるように形成されており、支持骨７により傘骨４を該傘骨４の長さに応じて異なる形態で支持している。
【００１７】
また、移動部材６は円筒体にて構成され、軸部材２の長手方向に向けて摺動自在に環装されており、図２（ａ）〜（ｃ）に示されるように、該移動部材６を軸部材２の長手方向に沿って移動させることで、傘骨４を開閉させることができるようになっている。
【００１８】
さらにハンドル部３は、曲部１１を有する側面視略Ｊ字状に形成されており、傘骨４の閉状態において、長尺な傘骨４ａが該曲部１１の反対側に配置されるようになっているため、傘骨４が閉状態であるときにハンドル部３を握る際に、傘骨４やシート材５に触れて手が濡れたり、邪魔になることがない。
【００１９】
次に、支持骨７による傘骨４の支持構造を図３及び図４に基づいて詳細に説明する。なお、以下の説明においては、便宜上、複数本の傘骨４のうち、軸部材２を挟んで対称位置に配置される１本の長尺の傘骨４ａ及び１本の短尺の傘骨４ｂからなる２本の傘骨４について説明する。
【００２０】
本実施例の傘１は、軸部材２と長尺の傘骨４ａ（短尺の傘骨４ｂ）とが連結する第１連結部としての連結部Ａ（連結部Ａ’）と、長尺の傘骨４ａ（短尺の傘骨４ｂ）と各支持骨７とが連結する第２の連結部としての連結部Ｂ（連結部Ｂ’）と、移動部材６と各支持骨７とが連結する第３の連結部としての連結部Ｃ（連結部Ｃ’）と、を結ぶ辺（ＡＢ、ＢＣ、ＡＣ／Ａ’Ｂ’、Ｂ’Ｃ’、Ａ’Ｃ’）により囲まれる三角形領域ＡＢＣ（三角形領域Ａ’Ｂ’Ｃ’）のうち、移動部材６を軸部材２に沿って上下移動させること、すなわち、辺ＡＣ（辺Ａ’Ｃ’）の長さを伸縮させて前記三角形領域ＡＢＣ（三角形領域Ａ’Ｂ’Ｃ’）の形状を変化させることで複数の傘骨４を開閉する構造となっている。
【００２１】
各支持骨７は、図３に示される傘骨４の開状態において、各傘骨４の先端部８が軸部材２に対して直交する方向を向く同一平面上に位置するように傘骨４を支持する。特に長尺の傘骨４ａを支持する支持骨７は、短尺の傘骨４ｂを支持する支持骨７よりも傘骨４ａを高い位置にて支持することで傘骨４ａの先端部８が軸部材２に対して直交する方向を向く同一平面上に位置するように支持する。つまり、長尺の傘骨４ａと軸部材２との間の内角θ１は短尺の傘骨４ｂと軸部材２との間の内角θ２よりも大とされる（θ１＞θ２）。
【００２２】
図４に示される傘骨４の閉状態において、各傘骨の先端部８が軸部材２に対して全て均等に近接するように、長さの異なる各傘骨４ａ、４ｂの長さに応じて前記三角形領域ＡＢＣ（三角形領域Ａ’Ｂ’Ｃ’）の形状が異なるように、すなわち、各傘骨４ａ、４ｂの長さに応じて異なる形態で支持している。
【００２３】
特に本実施例においては、各支持骨７に対応して形成される全ての三角形領域ＡＢＣ（三角形領域Ａ’Ｂ’Ｃ’）のうち、辺ＡＢと辺ＢＣの長さの和（辺Ａ’Ｂ’と辺Ｂ’Ｃ’の長さの和）が全て均一としてあるとともに、前述したように、移動部材６と各支持骨７との連結部Ｃ（連結部Ｃ’）が、移動部材６の長手方向に対して同位置に設けられ、三角形領域ＡＢＣ（三角形領域Ａ’Ｂ’Ｃ’）のうち辺ＡＣ（辺Ａ’Ｃ’）の長さが均一としてあるため、図４に示されるように、長さの異なる傘骨４ａ、４ｂを閉状態としたときに、具体的には、連結部Ｃ（Ｃ’）を一斉に下降させたときに辺ＡＢと辺ＢＣ（辺Ａ’Ｂ’と辺Ｂ’Ｃ’）とを略直線状とする、すなわち、全ての支持骨４ａ、４ｂが軸部材２に対して限りなく平行に近い状態とすることができ、これにより傘骨４ａ、４ｂの先端部８を軸部材２に対して近接するように閉じることができる。
【００２４】
このように、移動部材６の移動により全ての支持骨７の他端を同時に移動させることができるばかりか、全ての支持骨７の移動部材６に対する連結位置（連結部Ｃ、Ｃ’）が揃うため、移動部材６の操作時における支持骨７との干渉を回避できるばかりか、見栄えが向上する。また、支持骨７の長さや傘骨４ａ、４ｂとの連結位置（連結部Ｃ、Ｃ’）、すなわち、軸部材２から連結部までの長さ（辺ＡＢ、Ａ’Ｂ’）が傘骨４ａ、４ｂの長さに応じて異なっていても、傘骨４ａ、４ｂを閉状態としたときに全ての支持骨７が軸部材２に対して限りなく平行に近い状態とすることができ、これにより全ての傘骨４ａ、４ｂの先端部８を軸部材２に対して近接するように閉じることができる。
【００２５】
ここで、本実施例のように一部の傘骨４ａを他の傘骨４ｂよりも長尺とし、開状態において全ての傘骨４の先端部８が軸部材２に対して直交する方向を向く同一平面上に位置するように支持する傘１を、従来公知の一般的な傘のように全ての支持骨７の長さや、傘骨４に対する支持位置及び移動部材６に対する連結位置、すなわち、全ての傘骨４を同一の形態にて支持しようとしても、傘骨４を前述のような形態で支持できないとともに、傘骨４ａ、４ｂを閉状態としたときに、短尺の傘骨４ｂを閉じることはできても、長尺の傘骨４ａを短尺の傘骨４ｂと同じように閉じることができないが、本発明の実施例としての傘１にあっては、支持骨７は傘骨４ａ、４ｂの長さに応じて異なる形態で支持するため、傘骨４を開状態としたときに一部の長尺な傘骨４ａ及びシート材５により傘１の使用者の視線がシート材１により遮蔽されるのを防止できるとともに、支持骨７を軸部材２に沿って移動させることで全ての傘骨４を軸部材２に対してほぼ均等に近接させた状態で閉じることができるため、傘骨４を閉じたときに長尺の傘骨４ａが軸部材２に他の短尺の傘骨４ｂのように近接せずにシート材５が使用者に触れて濡れやすくなることを防止できる。
【００２６】
また、図１に示されるように、傘骨４を閉状態としたときに、移動部材６の少なくとも一部がシート材５により隠蔽されることなく外部に露呈するようになっているため、傘骨４が閉状態であるときに、閉じられたシート材５の内部に手を挿入することなく移動部材６を持つことができるため、手を濡らしたりすることなく傘骨４の開操作を行うことができる。
【００２７】
また、複数の傘骨４のうち長尺な傘骨４ａは、閉状態としたときに当該長尺な傘骨４ａの先端部８がハンドル部３の端部から突出しない長さに形成されているため、傘骨４が閉状態であるときにハンドル部３を握る際に、長尺の傘骨４ａやシート材５に触れて手が濡れたり、邪魔になることがないとともに、傘１の収納時において傘骨４の先端部８が損傷することが防止される。
【００２８】
さらに、傘骨４を閉状態としたときに、複数の傘骨４のうち長尺な傘骨４ａの先端部８は曲部１１の反対側に配置されるため、傘骨４が閉状態であるときにハンドル部３を握る際に、傘骨４やシート材５に触れて手が濡れたり、邪魔になることがない。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
例えば、前記実施例では、複数本のうちの約半数が長尺の傘骨４ａとされていたが、長尺の傘骨４ａは少なくとも１本以上あれば、その本数は限定されるものではない。
【００３１】
また、前記実施例の傘１は、開状態における平面視が略円形をなすシート材５の一部を広げることで一部の傘骨４ａが他の傘骨４ｂよりも長尺となるようにしたものであったが、例えばシート材５の形状は平面視略円形のものであってもよく、軸部材２がそのシート材の中心から偏心した位置に配置することで一部の傘骨４ａが他の傘骨４ｂよりも長尺となるようにした傘であってもよい。
【００３２】
また、前記実施例では、各三角形領域ＡＢＣ、Ａ’Ｂ’Ｃ’の辺ＡＣ、Ａ’Ｃ’の長さを均一とし、傘骨４の長さに応じて各支持骨７の長さ及び傘骨４との連結部Ｂ、Ｂ’の位置（軸部材２から連結部までの長さ）が異なることで三角形領域ＡＢＣ、Ａ’Ｂ’Ｃ’の形状が異なっていたが、例えば傘骨４との連結部Ｂ、Ｂ’の位置を全て均一とし、傘骨４の長さに応じて各支持骨７の長さ及び辺ＡＣ、Ａ’Ｃ’の長さ（連結部Ｂ、Ｂ’）の位置を異なせることで三角形領域ＡＢＣ、Ａ’Ｂ’Ｃ’の形状、すなわち、各支持骨７を異なる形態で傘骨４を支持するようにしてもよい。
【００３３】
また、傘骨４の閉状態から開状態への移行に際して、軸部材２の長さを伸縮、あるいはあるいは傘骨４や支持骨７を折りたたみ自在としてもよい。
【図面の簡単な説明】
【００３４】
【図１】（ａ）は本発明の実施例としての傘１の開状態を示す平面図、（ｂ）は傘の正面図、（ｃ）は傘の側面図である。
【図２】（ａ）〜（ｃ）は傘１の傘骨を閉状態から開状態に移行する状況を示す概略図である。
【図３】傘１の開状態における傘骨と支持骨と軸部材との状態を示す概略図である。
【図４】傘１の閉状態における傘骨と支持骨と軸部材との状態を示す概略図である。
【符号の説明】
【００３５】
１          傘
２          軸部材
３          ハンドル部
４、４ａ、４ｂ    傘骨
５          シート材
６          移動部材
７          支持骨
８          先端部
１１        曲部
【図１】
2006014817.tif 000003
【図２】
2006014817.tif 000004
【図３】
2006014817.tif 000005
【図４】
2006014817.tif 000006